(57)【特許請求の範囲】
【請求項１】
被処理基板の周縁部を洗浄する洗浄装置において、
被処理基板の一方の面の周縁部に当接し、当該被処理基板の面内方向で回転駆動される第一洗浄部と、
被処理基板の他方の面の周縁部に当接し、当該被処理基板の面内方向で回転駆動される第二洗浄部と、
洗浄液を収容する収容槽と、を備え、
第二洗浄部から被処理基板の他方の面に加わる摩擦力は、第一洗浄部から被処理基板の一方の面に加わる摩擦力よりも大きくなり、
前記第一洗浄部は前記被処理基板の前記一方の面の周縁部を前記収容槽内で洗浄し、
前記第二洗浄部は前記被処理基板の前記他方の面の周縁部を前記収容槽内で洗浄することを特徴とする洗浄装置。
【請求項２】
第二洗浄部は、第一洗浄部よりも速い速度で回転することを特徴とする請求項１に記載の洗浄装置。
【請求項３】
第二洗浄部が被処理基板の他方の面に当接する面積は、第一洗浄部が被処理基板の一方の面に当接する面積よりも大きいことを特徴とする請求項１または２のいずれかに記載の洗浄装置。
【請求項４】
第一洗浄部と第二洗浄部とは異なる材料からなり、
第二洗浄部を構成する材料の被処理基板に対する摩擦係数は、第一洗浄部を構成する材料の被処理基板に対する摩擦係数よりも大きいことを特徴とする請求項１乃至３のいずれか１項に記載の洗浄装置。
【請求項５】
第二洗浄部は、所定の方向から見た場合に、第一洗浄部とは逆方向に回転することを特徴とする請求項１乃至４のいずれか１項に記載の洗浄装置。
【請求項６】
収容槽に連結され、収容槽内に洗浄液を供給する供給部と、
収容槽に連結され、収容槽内に収容された洗浄液を排出する排出部と、
収容槽の上方部に連結され、収容槽の上方部から洗浄液を吸引して排出する吸引部と、をさらに備え、
第一洗浄部および第二洗浄部は、ウエハＷの面内方向が略鉛直方向に向くように、当該被処理基板を支持することを特徴とする請求項１乃至５のいずれか１項に記載の洗浄装置。
【請求項７】
被処理基板の周縁部を洗浄する洗浄方法において、
前記被処理基板の面内方向で回転駆動される第一洗浄部と、前記被処理基板の面内方向で回転駆動される第二洗浄部と、洗浄液を収容する収容槽とを有し、前記第一洗浄部は前記被処理基板の前記一方の面の周縁部を前記収容槽内で洗浄し、前記第二洗浄部は前記被処理基板の前記他方の面の周縁部を前記収容槽内で洗浄する洗浄装置を用いた洗浄方法であって、
被処理基板を第一洗浄部と第二洗浄部との間に載置する工程であって、被処理基板の一方の面の周縁部に第一洗浄部を当接させ、被処理基板の他方の面の周縁部に第二洗浄部を当接させる工程と、
第二洗浄部によって、第一洗浄部から被処理基板の一方の面に加わる摩擦力よりも大きな摩擦力を被処理基板の他方の面に加える工程と、
を備えたことを特徴とする洗浄方法。
【発明の詳細な説明】
【技術分野】
【０００１】
本発明は、被処理基板の周縁部を洗浄する洗浄装置および洗浄方法に関連している。
【背景技術】
【０００２】
従来から、被処理基板であるウエハの周縁部を、エッチング液（洗浄液）を用いてエッチングする方法が知られている。このようなウエハを洗浄する方法としては、例えば、ウエハを保持して周方向に回転駆動する保持駆動機構と、エッチング液が収容されるとともに保持駆動機構によって回転駆動されるウエハの周縁部がエッチング液に浸漬してエッチングされるエッチング槽と、を備えたものが知られている（特許文献１参照）。
【特許文献１】特開２００４−２９６８１０号公報
【発明の開示】
【発明が解決しようとする課題】
【０００３】
一般的に、ウエハの表面にはパーティクルが付着し、ウエハの裏面にはポリマーなどの不純物（以下、このような不純物をポリマーとして表現する）が付着する傾向がある。そして、ウエハの裏面に付着するポリマーはウエハの表面に付着するパーティクルと比較して、ウエハから除去されにくくなっている。このため、従来の洗浄装置を用いても、ウエハの裏面に付着したポリマーを確実に除去することは難しい。この点、裏面に付着したポリマーを除去しようとして強い薬液を含む洗浄液を使用すると、ウエハの表面側が浸食されてしまう。
【０００４】
本発明は、このような点を考慮してなされたものであり、被処理基板を洗浄する場合に、被処理基板の一方の面と他方の面とで除去する対象物が異なる場合であっても各対象物を確実に除去することができ、また、当該被処理基板を浸食することなく、被処理基板に付着したポリマーを確実に除去することができる洗浄装置および洗浄方法を提供することを目的とする。
【課題を解決するための手段】
【０００５】
本発明による洗浄装置は、
被処理基板の周縁部を洗浄する洗浄装置において、
被処理基板の一方の面の周縁部に当接し、当該被処理基板の面内方向で回転駆動される第一洗浄部と、
被処理基板の他方の面の周縁部に当接し、当該被処理基板の面内方向で回転駆動される第二洗浄部と、を備え、
第二洗浄部から被処理基板の他方の面に加わる摩擦力が、第一洗浄部から被処理基板の一方の面に加わる摩擦力よりも大きくなっている。
【０００６】
このような構成によって、被処理基板を洗浄する場合に、被処理基板の一方の面と他方の面とで除去する対象物が異なる場合であっても各対象物を確実に除去することができ、また、当該被処理基板を浸食することなく、被処理基板に付着したポリマーを確実に除去することができる。
【０００７】
本発明による洗浄装置において、
第二洗浄部は、第一洗浄部よりも速い速度で回転することが好ましい。
【０００８】
本発明による洗浄装置において、
第二洗浄部が被処理基板の他方の面に当接する面積は、第一洗浄部が被処理基板の一方の面に当接する面積よりも大きいことが好ましい。
【０００９】
本発明による洗浄装置において、
第一洗浄部と第二洗浄部とは異なる材料からなり、
第二洗浄部を構成する材料の被処理基板に対する摩擦係数は、第一洗浄部を構成する材料の被処理基板に対する摩擦係数よりも大きいことが好ましい。
【００１０】
本発明による洗浄装置において、
第二洗浄部は、所定の方向から見た場合に、第一洗浄部とは逆方向に回転することが好ましい。
【００１１】
このような構成によって、第二洗浄部から被処理基板の他方の面に加わる摩擦力をさらに大きくすることができ、被処理基板の裏面に付着したポリマーをより確実に除去することができる。
【００１２】
本発明による洗浄装置において、
洗浄液を収容する収容槽と、
収容槽に連結され、収容槽内に洗浄液を供給する供給部と、
収容槽に連結され、収容槽内に収容された洗浄液を排出する排出部と、
収容槽の上方部に連結され、収容槽の上方部から洗浄液を吸引して排出する吸引部と、をさらに備え、
第一洗浄部および第二洗浄部は、ウエハＷの面内方向が略鉛直方向に向くように、当該被処理基板を支持することが好ましい。
【００１３】
このような構成によって、被処理基板の周縁部を洗浄した洗浄液が、被処理基板が回転することに伴って、被処理基板に付着したまま上方へ移動することがなく、洗浄液が被処理基板を伝って垂れることによって、被処理基板に悪影響が出ることを防止することができる。
【００１４】
本発明による洗浄方法は、
被処理基板の周縁部を洗浄する洗浄方法において、
前記被処理基板の面内方向で回転駆動される第一洗浄部と、前記被処理基板の面内方向で回転駆動される第二洗浄部とを有する洗浄装置を用いた洗浄方法であって、
被処理基板を第一洗浄部と第二洗浄部との間に載置する工程であって、被処理基板の一方の面の周縁部に第一洗浄部を当接させ、被処理基板の他方の面の周縁部に第二洗浄部を当接させる工程と、
第二洗浄部によって、第一洗浄部から被処理基板の一方の面に加わる摩擦力よりも大きな摩擦力を被処理基板の他方の面に加える工程と、
を備えている。
【００１５】
このような方法によって、被処理基板を洗浄する場合に、被処理基板の一方の面と他方の面とで除去する対象物が異なる場合であっても各対象物を確実に除去することができ、また、当該被処理基板を浸食することなく、被処理基板に付着したポリマーを確実に除去することができる。
【発明の効果】
【００１６】
本発明によれば、被処理基板のポリマーが付着する傾向にある他方の面に加わる摩擦力を、パーティクルが付着する傾向にある一方の面に加わる摩擦力よりも大きくすることによって、被処理基板を洗浄する場合に、被処理基板の一方の面と他方の面とで除去する対象物が異なる場合であっても各対象物を確実に除去することができ、また、当該被処理基板を浸食することなく、被処理基板に付着したポリマーを確実に除去することができる。
【発明を実施するための形態】
【００１７】
第１の実施の形態
以下、本発明に係る洗浄装置および洗浄方法の第１の実施の形態について、図面を参照して説明する。ここで、図１乃至図３は本発明の第１の実施の形態を示す図である。
【００１８】
図１および図２（ａ）に示すように、本実施の形態の洗浄装置は、被処理基板である半導体ウエハＷ（以下、単にウエハＷとも呼ぶ）の周縁部を洗浄液によって洗浄するためのものである。ここで、図１は、本実施の形態による洗浄装置の側方断面図である。また、図２（ａ）は、本実施の形態による洗浄装置を図１の矢印II方向から見た上方平面図であり、図２（ｂ）は、図２（ａ）を直線Ｂ−Ｂで保持部材４１（後述）を切断した縦断面図である。
【００１９】
図１に示すように、洗浄装置は、洗浄液ＣＦを収容する収容槽１と、収容槽１内の上方側に配置され、ウエハＷの表面（一方の面）Ｗａの周縁部に当接し、当該ウエハＷの面内方向で回転駆動される第一洗浄ブラシ（第一洗浄部）１１と、収容槽１内の下方側に配置され、ウエハＷの裏面（他方の面）Ｗｂの周縁部に当接し、当該ウエハＷの面内方向で回転駆動される第二洗浄ブラシ（第二洗浄部）２１と、を備えている。
【００２０】
このうち、洗浄液ＣＦは、純水や、純水と薬液の混合液などからなっている。なお、この薬液は、ＨＦなどの酸性溶液や、ＮＨ３などのアルカリ性溶液からなっている。
【００２１】
また、図１および図２（ａ）に示すように、第二洗浄ブラシ２１は、第一洗浄ブラシ１１よりも大きさが大きくなっており、第二洗浄ブラシ２１がウエハＷの裏面Ｗｂに当接する面積は、第一洗浄ブラシ１１がウエハＷの表面Ｗａに当接する面積よりも大きくなっている。
【００２２】
また、図１に示すように、第一洗浄ブラシ１１は、第一回転軸１４を介して第一駆動モータ１３に連結されており、他方、第二洗浄ブラシ２１は、第二回転軸２４を介して第二駆動モータ２３に連結されている。
【００２３】
図２（ａ）に示すように、第二洗浄ブラシ２１は、図１に示した矢印IIの示す方向（所定の方向）から見た場合に、第一洗浄ブラシ１１と同じ方向に回転するようになっている。具体的には、図１に示した矢印IIの示す方向から見た場合に、第二洗浄ブラシ２１は、第二駆動モータ２３によって、時計回りに回転駆動され、同様に、第一洗浄ブラシ１１は、第一駆動モータ１３によって、時計回りに回転駆動される（図２（ａ）の矢印参照）。
【００２４】
また、図２（ａ）において、第二駆動モータ２３の回転駆動速度は第一駆動モータ１３の回転駆動速度よりも大きくなっており、第二洗浄ブラシ２１は、第一洗浄ブラシ１１よりも速い速度で回転するようになっている。
【００２５】
また、図２（ａ）に示すように、第二洗浄ブラシ２１の上面と概ね同じ高さ位置に、ウエハＷの裏面Ｗｂを支持するための保持部材４１が二つ配置されている。この保持部材４１と第二ブラシ２１とによって、ウエハＷの裏面Ｗｂが支持され、ウエハＷの面内方向は略水平方向を向くようになっている。なお、この保持部材４１は、図２（ｂ）に示すように凹部を有しており、当該凹部内にウエハＷが配置され保持されるようになっている。
【００２６】
また、図２（ａ）に示すように、収容槽１には、収容槽１内に洗浄液ＣＦを供給する供給部３６と、この収容槽１内に収容された洗浄液ＣＦを排出する排出部３７が連結されている。また、図２（ａ）に示すように、収容槽１には、収容槽１から洗浄液を吸引して排出する吸引部３０が連結されていることが好ましい。この吸引部３０は、図２（ａ）に示すように、収容槽１の上方部に連結され排出部３７へと導かれた吸引管３２と、この吸引管３２に設けられ、収容槽１から洗浄液を吸引して排出する吸引ポンプ３１とからなっている。また、このうち吸引管３２は、ウエハＷの表面Ｗａ側と裏面Ｗｂ側の両方向に分岐して収容槽１に連結されており、ウエハＷの表面Ｗａと裏面Ｗｂの両側から洗浄液ＣＦを吸引して排出することができるようになっている。
【００２７】
また、図１に示すように、収容槽１の縦断面は、ウエハＷが挿入される開口を有する略コの字形状からなっている。そして、この収容槽１は、上端から下方に向かって延在する上方突出部１ａと、下端から上方に向かって延在する下方突出部１ｂと、を有している。
【００２８】
次に、このような構成からなる本実施の形態の作用について述べる。
【００２９】
まず、ウエハＷが、第二洗浄ブラシ２１と保持部材４１の上に載置される。このとき、ウエハＷは第二洗浄ブラシ２１と第一洗浄ブラシ１１との間に配置されており、パーティクルが付着する傾向にあるウエハＷの表面Ｗａが第一洗浄ブラシ１１に当接され、ポリマーが付着する傾向にあるウエハＷの裏面Ｗｂが第二洗浄ブラシ２１に当接される。
【００３０】
次に、第一駆動モータ１３によって第一洗浄ブラシ１１が回転駆動され、第二駆動モータ２３によって第二洗浄ブラシ２１が回転駆動される（図１および図２（ａ）参照）。具体的には、図１に示した矢印IIの示す方向から見た場合に、第二洗浄ブラシ２１は時計回りに回転駆動され、同様に、第一洗浄ブラシ１１は時計回りに回転駆動される（図２（ａ）の矢印参照）。
【００３１】
このように、第一洗浄ブラシ１１および第二洗浄ブラシ２１が回転駆動されることによって、第一洗浄ブラシ１１と第二洗浄ブラシ２１からの摩擦力により、ウエハＷが面内で回転される。このとき、ウエハＷは、図１に示した矢印IIの示す方向から見た場合に、反時計回りに回転される（図２（ａ）参照）。
【００３２】
ここで、図１および図２（ａ）に示すように、第二洗浄ブラシ２１は第一洗浄ブラシ１１よりも大きさが大きくなっており、第二洗浄ブラシ２１がウエハＷの裏面Ｗｂに当接する面積は、第一洗浄ブラシ１１がウエハＷの表面Ｗａに当接する面積よりも大きくなっている。
【００３３】
このため、ウエハＷから除去されにくいポリマーの付着する傾向のある裏面Ｗｂに大きな摩擦力を加えることができ、かつ、ウエハＷから除去されやすいパーティクルの付着する傾向にある表面Ｗａに、裏面Ｗｂに加わる摩擦力よりも小さな摩擦力を加えることができる。
【００３４】
また、第二駆動モータ２３の回転駆動速度は第一駆動モータ１３の回転駆動速度よりも大きくなっており、第二洗浄ブラシ２１は、第一洗浄ブラシ１１よりも速い速度で回転するようになっている。このため、やはり、ウエハＷから除去されにくいポリマーの付着する傾向のある裏面Ｗｂに大きな摩擦力を加えることができ、かつ、ウエハＷから除去されやすいパーティクルの付着する傾向にある表面Ｗａに、裏面Ｗｂに加わる摩擦力よりも小さな摩擦力を加えることができる。
【００３５】
このように、本実施の形態によれば、第一洗浄ブラシ１１からウエハＷの裏面Ｗｂに加わる摩擦力を、第二洗浄ブラシ２１から被処理基板の表面Ｗａに加わる摩擦力よりも大きくすることができるので、ウエハＷの表面Ｗａと裏面Ｗｂとで除去する対象物が異なる場合であっても各対象物を確実に除去することができ、より具体的には、ウエハＷの表面Ｗａに付着したパーティクルと、ウエハＷの裏面Ｗｂに付着したポリマーを確実に除去することができる。また、洗浄液ＣＦに含まれる薬液の濃度を必要以上に濃くすることなく（場合によっては純水によって）、ウエハＷの裏面Ｗｂに付着したポリマーを確実に除去することもでき、洗浄液ＣＦに含まれる薬液によってウエハＷの表面Ｗａが浸食されることを防止することができる。
【００３６】
また、ウエハＷの表面Ｗａには、裏面Ｗｂに加わる摩擦力よりも小さな摩擦力を加えることができるので、ウエハＷの表面Ｗａが第一洗浄ブラシ１１によって傷つけられることを防止することができる。
【００３７】
すなわち、従来技術によれば、薬液の濃度が薄い洗浄液を用いた場合には、ウエハを洗浄してもウエハの裏面に付着したポリマーを除去することができない。他方、裏面に付着したポリマーを除去しようとして強い薬液を含む洗浄液を使用すると、ウエハの表面が浸食されてしまう。
【００３８】
これに対して、本実施の形態によれば、第一洗浄ブラシ１１からウエハＷの裏面Ｗｂに加わる摩擦力を大きくしているので、薬液の濃度が薄い洗浄液を用いたとしても（場合によっては純水を用いたとしても）、ウエハＷの裏面Ｗｂに付着したポリマーを確実に除去することができる。また、このように薬液の濃度が薄い洗浄液を用いることができるので、ウエハＷの表面Ｗａが浸食されてしまうこともない。
【００３９】
また、本実施の形態では、ウエハＷの表面Ｗａに加わる摩擦力を小さくしているので、ウエハＷの表面Ｗａが第一洗浄ブラシ１１によって傷つけられることを防止することもできる。
【００４０】
なお、図２（ａ）に示すように、収容槽１から洗浄液が吸引されて排出されているので、ウエハＷの周縁部を洗浄した洗浄液ＣＦが、ウエハＷが回転することに伴って、ウエハＷに付着したまま移動することを防止することができる。このため、洗浄液ＣＦがウエハＷの表面Ｗａや裏面Ｗｂの非除去対象面（洗浄液ＣＦで洗浄する対象となっていない面）にまで洗浄液ＣＦが広がってしまうことを防止することができ、ウエハＷに悪影響が出ることを防止することができる。
【００４１】
また、図１に示すように、収容槽１は、上端から下方に向かって延在する上方突出部１ａと、下端から上方に向かって延在する下方突出部１ｂと、を有しており、上方突出部１ａと下方突出部１ｂとの間の間隙は非常に小さくなっている。このため、ウエハＷの表面Ｗａや裏面Ｗｂに洗浄液ＣＦが広がってしまうことをより確実に防止することができ、ウエハＷに悪影響が及ぼすことを確実に防止することができる。
【００４２】
また、上述のように、ウエハＷは、面内方向が水平になるようにして支持されるとともに、面内方向で回転されるので、ウエハＷの周縁部に付着した洗浄液は、ウエハＷが回転することにより発生する遠心力によって周縁外方に散布される。このため、本実施の形態によれば、ウエハＷの周縁部を洗浄した洗浄液ＣＦが、ウエハＷの表面Ｗａや裏面Ｗｂに広がることをより確実に防止することができ、ウエハＷに悪影響をより確実に防止することができる。
【００４３】
ところで、上記では、第二洗浄ブラシ２１がウエハＷの裏面Ｗｂに当接する面積が、第一洗浄ブラシ１１がウエハＷの表面Ｗａに当接する面積よりも大きくなり、かつ、第二洗浄ブラシ２１が、第一洗浄ブラシ１１よりも速い速度で回転するようになっている態様を用いて説明したが、ウエハＷの裏面Ｗｂに対するポリマーの付着力がそれほど強くない場合には、これらのうちの一方だけでもよい。
【００４４】
すなわち、図２（ａ）において、第二洗浄ブラシ２１を、第一洗浄ブラシ１１と同じ速度で回転させてもよいし、他方、図３に示すように、第二洗浄ブラシ２１を第一洗浄ブラシ１１と同じ大きさのものとして、第二洗浄ブラシ２１がウエハＷの裏面Ｗｂに当接する面積を、第一洗浄ブラシ１１がウエハＷの表面Ｗａに当接する面積と概ね等しくしつつ、第二洗浄ブラシ２１を、第一洗浄ブラシ１１よりも速い速度で回転させるようにしてもよい。
【００４５】
第２の実施の形態
次に、図４により、本発明の第２の実施の形態について説明する。図４に示す第２の実施の形態は、第一洗浄ブラシ１１と第二洗浄ブラシ２１ａとが異なる材料からなり、第二洗浄ブラシ２１ａを構成する材料のウエハＷに対する摩擦係数が、第一洗浄ブラシ１１を構成する材料のウエハＷに対する摩擦係数よりも大きくなっている。また、第二洗浄ブラシ２１ａが第一洗浄ブラシ１１と概ね同じ大きさからなり、第二洗浄ブラシ２１ａがウエハＷの裏面Ｗｂに当接する面積が、第一洗浄ブラシ１１がウエハＷの表面Ｗａに当接する面積と概ね等しくなっている。さらに、第二洗浄ブラシ２１ａは、第一洗浄ブラシ１１と同じ速度で回転するようになっている。その他の構成は図１および図２（ａ）（ｂ）に示す第１の実施の形態と略同一である。
【００４６】
図４に示す第２の実施の形態において、図１および図２（ａ）（ｂ）に示す第１の実施の形態と同一部分には同一符号を付して詳細な説明は省略する。
【００４７】
図４において、第一洗浄ブラシ１１と第二洗浄ブラシ２１ａとは異なる材料からなり、第二洗浄ブラシ２１ａを構成する材料のウエハＷに対する摩擦係数は、第一洗浄ブラシ１１を構成する材料のウエハＷに対する摩擦係数よりも大きくなっている。
【００４８】
このため、第１の実施の形態と同様、ウエハＷから除去されにくいポリマーの付着する傾向のある裏面Ｗｂに大きな摩擦力を加えることができ、かつ、ウエハＷから除去されやすいパーティクルの付着する傾向にある表面Ｗａに、裏面Ｗｂに加わる摩擦力よりも小さな摩擦力を加えることができる。
【００４９】
この結果、洗浄液ＣＦに含まれる薬液の濃度を必要以上に濃くすることなく（場合によっては純水によって）、ウエハＷの裏面Ｗｂに付着したポリマーを確実に除去することができ、洗浄液ＣＦに含まれる薬液によってウエハＷの表面Ｗａが浸食されることを防止することができる。
【００５０】
また、ウエハＷの表面Ｗａには、裏面Ｗｂに加わる摩擦力よりも小さな摩擦力を加えることができるので、ウエハＷの表面Ｗａが第一洗浄ブラシ１１によって傷つけられることを防止することができる。
【００５１】
なお、ウエハＷの裏面Ｗｂにポリマーが強い力で付着している場合には、第二洗浄ブラシ２１ａを第一洗浄ブラシ１１よりも大きくして、第二洗浄ブラシ２１ａがウエハＷの裏面Ｗｂに当接する面積を、第一洗浄ブラシ１１がウエハＷの表面Ｗａに当接する面積よりも大きくしたり、また、第二洗浄ブラシ２１ａを、第一洗浄ブラシ１１よりも速い速度で回転させるようにしたりしてもよい。
【００５２】
さらには、これらの両方を実施してもよく、第二洗浄ブラシ２１ａを第一洗浄ブラシ１１よりも大きくして、第二洗浄ブラシ２１ａがウエハＷの裏面Ｗｂに当接する面積を、第一洗浄ブラシ１１がウエハＷの表面Ｗａに当接する面積よりも大きくし、かつ、第二洗浄ブラシ２１ａを、第一洗浄ブラシ１１よりも速い速度で回転させるようにしてもよい。
【００５３】
第３の実施の形態
次に、図５により、本発明の第３の実施の形態について説明する。図５に示す第３の実施の形態は、第二洗浄ブラシ２１が、図１に示した矢印IIの示す方向（所定の方向）から見た場合に、第一洗浄ブラシ１１とは逆方向に回転する。また、第二洗浄ブラシ２１は、第一洗浄ブラシ１１と同じ速度で回転するようになっている。なお、本実施の形態では、保持部材４１の代わりに、ウエハＷの略中心を吸着して保持する吸着保持部４３と、当該吸着保持部４３を回転駆動するモータ４５とがさらに設けられている。その他の構成は図１および図２（ａ）（ｂ）に示す第１の実施の形態と略同一である。
【００５４】
図５に示す第３の実施の形態において、図１および図２（ａ）（ｂ）に示す第１の実施の形態と同一部分には同一符号を付して詳細な説明は省略する。
【００５５】
本実施の形態では、図１に示した矢印IIの示す方向（所定の方向）から見た場合に、第二洗浄ブラシ２１が時計回りに回転駆動され、第一洗浄ブラシ１１が反時計回りに回転駆動されている。このように、第一洗浄ブラシ１１と第二洗浄ブラシ２１とを逆方向で回転させることによって、ウエハＷには、第一洗浄ブラシ１１によって、第二洗浄ブラシ２１による摩擦力とは逆方向の摩擦力も働くこととなる。このため、第二洗浄ブラシ２１からウエハＷの裏面Ｗｂに加わる摩擦力をさらに大きくすることができ、ウエハＷの裏面Ｗｂに付着したポリマーをより確実に除去することができる。
【００５６】
なお、本実施の形態によっても、やはり、ウエハＷから除去されにくいポリマーの付着する傾向のある裏面Ｗｂに大きな摩擦力を加えることができ、かつ、ウエハＷから除去されやすいパーティクルの付着する傾向にある表面Ｗａに、裏面Ｗｂに加わる摩擦力よりも小さな摩擦力を加えることができる。
【００５７】
また、洗浄液ＣＦに含まれる薬液の濃度を必要以上に濃くすることなく（場合によっては純水によって）、ウエハＷの裏面Ｗｂに付着したポリマーを確実に除去することができ、洗浄液ＣＦに含まれる薬液によってウエハＷの表面Ｗａが浸食されることを防止することができる。
【００５８】
また、ウエハＷの表面Ｗａには、裏面Ｗｂに加わる摩擦力よりも小さな摩擦力を加えることができるので、ウエハＷの表面Ｗａが第一洗浄ブラシ１１によって傷つけられることを防止することができる。
【００５９】
ところで、本実施の形態において、第二洗浄ブラシ２１は、第一洗浄ブラシ１１よりも大きさが大きくなっており、第二洗浄ブラシ２１がウエハＷの裏面Ｗｂに当接する面積が、第一洗浄ブラシ１１がウエハＷの表面Ｗａに当接する面積よりも大きくなっているので、第二洗浄ブラシ２１からウエハＷの裏面Ｗｂに加わる摩擦力が第一洗浄ブラシ１１からウエハＷの表面Ｗａに加わる摩擦力よりも大きくなっている。このため、ウエハＷは、第二洗浄ブラシ２１の回転方向による駆動力によって回転することになる。
【００６０】
なお、上記では、第二洗浄ブラシ２１からウエハＷの裏面Ｗｂに加わる摩擦力を第一洗浄ブラシ１１からウエハＷの表面Ｗａに加わる摩擦力よりも大きくする方法として、第二洗浄ブラシ２１のウエハＷの裏面Ｗｂに当接する面積を、第一洗浄ブラシ１１のウエハＷの表面Ｗａに当接する面積よりも大きくする態様を用いて説明したが、これに限られない。
【００６１】
例えば、第二洗浄ブラシ２１を、第一洗浄ブラシ１１よりも速い速度で回転させるようにしてもよいし、また、第二洗浄ブラシ２１を、ウエハＷに対する摩擦係数が第一洗浄ブラシ１１を構成する材料のウエハＷに対する摩擦係数よりも大きくなる材料から生成することによって、第二洗浄ブラシ２１からウエハＷの裏面Ｗｂに加わる摩擦力を第一洗浄ブラシ１１からウエハＷの表面Ｗａに加わる摩擦力よりも大きくしてもよい。
【００６２】
さらには、ウエハＷの裏面Ｗｂに付着したポリマーをより確実に除去するために、第二洗浄ブラシ２１のウエハＷの裏面Ｗｂに当接する面積を第一洗浄ブラシ１１のウエハＷの表面Ｗａに当接する面積よりも大きくすること、第二洗浄ブラシ２１を第一洗浄ブラシ１１よりも速い速度で回転させること、および、第二洗浄ブラシ２１をウエハＷに対する摩擦係数が第一洗浄ブラシ１１を構成する材料のウエハＷに対する摩擦係数よりも大きくなる材料から生成すること、のうちの２つを適宜組み合わせても良いし、これらの全てを組み合わせても良い。
【００６３】
ところで、上記の第１の実施の形態および第２の実施の形態においては、第二洗浄ブラシ２１の上面と概ね同じ高さ位置に、ウエハＷの裏面Ｗｂを支持するための保持部材４１が二つ配置され、この保持部材４１と第二ブラシ２１とによって、ウエハＷの裏面Ｗｂが支持される態様を用いて説明したが、これに限られない。例えば、第３の実施の形態と同様に、保持部材４１の代わりに、ウエハＷの略中心を吸着して保持する吸着保持部４３を設けても良い（図６参照）。なお、図６では、図１および図２（ａ）（ｂ）に示した第１の実施の形態に対応する構成のものを示している。また、この場合には、第３の実施の形態のようにモータ４５を設ける必要はない。
【００６４】
また、上記の第１の実施の形態、第２の実施の形態および第３の実施の形態では、ウエハＷの面内方向が略水平方向を向くようになっている態様を用いて説明したが、これに限らず、図７に示すように、第一洗浄ブラシ１１および第二洗浄ブラシ２１が、ウエハＷの面内方向が略鉛直方向に向くように、当該ウエハＷを支持するようにしてもよい。なお、図７では、図１および図２（ａ）（ｂ）に示した第１の実施の形態に対応する構成のものを示している。また、この図７は、このような態様の洗浄装置の正面図を示している。
【００６５】
このように、ウエハＷの面内方向が略鉛直方向を向く場合には、ウエハＷの周縁部を洗浄した洗浄液ＣＦが、ウエハＷが回転することに伴って、ウエハＷに付着したまま上方へ移動する可能性がある。このように、洗浄液ＣＦがウエハＷに付着したまま上方へ移動すると、当該洗浄液ＣＦがウエハＷの表面Ｗａや裏面Ｗｂを伝って垂れてきてしまい、ウエハＷに悪影響を及ぼしてしまう。
【００６６】
このため、図７に示すように、収容槽１の上方部に、収容槽１の上方部から洗浄液を吸引して排出する吸引部３０が連結されていることが好ましい。この吸引部３０は、図７に示すように、収容槽１の上方部に連結され排出部３７へと導かれた吸引管３２と、この吸引管３２に設けられ、収容槽１から洗浄液を吸引して排出する吸引ポンプ３１とからなっている。
【００６７】
このように、収容槽１の上方部に吸引部３０を連結させることによって、収容槽１の上方部から洗浄液が吸引されて排出されるので、ウエハＷの周縁部を洗浄した洗浄液ＣＦが、ウエハＷが回転することに伴って、ウエハＷに付着したまま上方へ移動することがない。このため、洗浄液ＣＦがウエハＷの表面Ｗａや裏面Ｗｂを伝って垂れることによって、ウエハＷに悪影響が出ることを防止することができる。
【００６８】
ところで、図７に示すようにウエハＷを面内方向が略鉛直方向を向くように保持する場合には、ウエハＷの周縁部を支持する保持部材４１は、ウエハＷの大きさなどの状況に応じて選択的に設けられる。
【図面の簡単な説明】
【００６９】
【図１】本発明の第１の実施の形態による洗浄装置の側方断面図。
【図２】本発明の第１の実施の形態による洗浄装置を図１の矢印II方向から見た上方平面図と、保持部材を示す縦断面図。
【図３】本発明の第１の実施の形態による洗浄装置の別の例を示す上方平面図。
【図４】本発明の第２の実施の形態による洗浄装置を示す上方平面図。
【図５】本発明の第３の実施の形態による洗浄装置を示す上方平面図。
【図６】本発明による洗浄装置の別の態様を示す上方平面図。
【図７】本発明による洗浄装置のさらに別の態様を示す正面図。
【符号の説明】
【００７０】
１      収容槽
１１    第一洗浄ブラシ（第一洗浄部）
１３    第一駆動モータ
１４    第一回転軸
２１，２１ａ  第二洗浄ブラシ（第二洗浄部）
２３    第二駆動モータ
２４    第二回転軸
３０    吸引部
３１    吸引ポンプ
３２    吸引管
３６    供給部
３７    排出部
４１    保持部材
４３    吸着保持部
ＣＦ    洗浄液
Ｗ      ウエハ（被処理基板）
Ｗａ    ウエハ（被処理基板）の表面（一方の面）
Ｗｂ    ウエハ（被処理基板）の裏面（他方の面）
【図１】
0005122425.tif 000002
【図２】
0005122425.tif 000003
【図３】
0005122425.tif 000004
【図４】
0005122425.tif 000005
【図５】
0005122425.tif 000006
【図６】
0005122425.tif 000007
【図７】
0005122425.tif 000008